(57)【要約】【課題】消費エネルギーを低減することができる空気調和システムおよび空調選択装置を提供する。【解決手段】空気調和システムは、電子機器１の温度を電子機器１の稼働に適する適正温度域に保つための空気調和システムであって、収納部２０と、空気調和装置１０と、設定装置４０と、供給装置３０とを備えている。収納部２０は、電子機器１を収納する。空気調和装置１０は、収納部２０内に調和空気を提供可能である。設定装置４０は、収納部２０に隣接する隣接空間と空気調和装置１０とのいずれかを供給元に設定する。供給装置３０は、供給元から収納部２０内に空気を供給する。【選択図】        図１
2004309007.tif 000002
【特許請求の範囲】
【請求項１】
電子機器（１）の温度を前記電子機器（１）の稼働に適する適正温度域に保つための空気調和システムであって、
前記電子機器（１）を収納する収納部（２０）と、
前記収納部（２０）内に調和空気を提供可能な空気調和装置（１０）と、
前記収納部（２０）に隣接する隣接空間と前記空気調和装置（１０）とのいずれかを供給元に設定する設定装置（４０）と、
前記供給元から前記収納部（２０）内に空気を供給する供給装置（３０）と、を備える空気調和システム。
【請求項２】
前記設定装置（４０）は、所定時間帯には前記隣接空間を供給元に設定し、前記所定時間帯以外には前記空気調和装置（１０）を供給元に設定する、
請求項１に記載の空気調和システム。
【請求項３】
前記設定装置（４０）は、前記隣接空間の気温が前記適正温度域内の場合には前記隣接空間を供給元に設定し、前記隣接空間の気温が前記適正温度域外の場合には前記空気調和装置（１０）を供給元に設定する、
請求項１または２に記載の空気調和システム。
【請求項４】
前記空気調和装置（１０）は、前記収納部（２０）が設置される室（２）内の空気を調和する、
請求項１から３のいずれかに記載の空気調和システム。
【請求項５】
前記空気調和装置（１０）は、消費エネルギーが一定量を超える場合には前記室（２）内の空気調和を停止し、消費エネルギーが一定量以下の場合には前記室（２）内の空気調和を行い、
前記設定装置（４０）は、前記空気調和装置（１０）の消費エネルギーが一定量を超える場合には前記空気調和装置（１０）を前記供給元に設定する、
請求項４に記載の空気調和システム。
【請求項６】
前記空気調和装置（１０）は、前記室（２）内に在室者がある場合には前記室（２）内の空気調和を行い、前記室（２）内に在室者がない場合には前記室（２）内の空気調和を停止し、
前記設定装置（４０）は、前記室（２）内に在室者がある場合には前記隣接空間を前記供給元に設定する、
請求項４または５に記載の空気調和システム。
【請求項７】
前記空気調和装置（１０）は、電気を蓄積する蓄電装置（１４）を備える、
請求項１から６のいずれかに記載の空気調和システム。
【請求項８】
前記電子機器（１）は、前記蓄電装置（１４）から電気の供給を受ける、
請求項７に記載の空気調和システム。
【請求項９】
前記設定装置（４０）は、電源障害時に前記供給元を前記空気調和装置（１０）に設定する、
請求項８に記載の空気調和システム。
【請求項１０】
電子機器（１）の温度を前記電子機器（１）の稼働に適する適正温度域に保つために、前記電子機器（１）の収納される収納装置（２０）に隣接する隣接空間と空気調和装置（１０）とのいずれかから前記収納装置（２０）内に空気を供給するための空調設定装置（４０）であって、
隣接空間と前記空気調和装置（１０）とのどちらを供給元に設定するかを判断する判断部（４１）と、
前記判断部（４１）の判断結果に基づいて前記供給元を設定する設定部（４２）と、
を備える空調設定装置（４０）。
【請求項１１】
前記判断部（４１）は、所定時間帯には前記隣接空間を供給元と判断し、前記所定時間帯以外には前記空気調和装置（１０）を供給元と判断する、
請求項１０に記載の空調設定装置（４０）。
【請求項１２】
前記判断部（４１）は、前記隣接空間の気温が前記適正温度域内の場合には前記隣接空間を供給元と判断し、前記隣接空間の気温が前記適正温度域外の場合には前記空気調和装置（１０）を供給元と判断する、
請求項１０または１１に記載の空調設定装置（４０）。
【発明の詳細な説明】
【０００１】
【発明の属する技術分野】
本発明は、空気調和システムおよび空調設定装置に関する。
【０００２】
【従来の技術】
従来より、電子機器の稼働に適した温度の空気を電子機器の近傍に提供することにより電子機器の温度を電子機器の稼働に適した温度に保つ空気調和システムが知られている。例えば、コンピュータネットワークに用いられるサーバコンピュータは、稼働時に発熱している。しかし、サーバコンピュータの温度が所定の温度を越えると、サーバコンピュータは適切に稼働することができなくなるおそれがある。このため、サーバコンピュータの空気調和システムでは、冷気をサーバコンピュータの近傍に提供することにより、サーバコンピュータの温度を稼働に適した温度に保っている（例えば、特許文献１）。
【０００３】
このような空気調和システムは、サーバコンピュータが収納されるサーバラックと、冷気を発生する空気調和装置とを備えている。サーバラックは、空気調和装置と接続され、空気調和装置から冷気の供給を受ける。空気調和装置は、電気やガスなどを動力源として冷気を発生している。上記のような構成の空気調和システムでは、空気調和装置から冷気がサーバラック内に供給されることにより、サーバラック内の気温が低下され、サーバコンピュータの温度を稼働に適した温度に保たれている。
【０００４】
【特許文献１】
特開２００２−１５６１３６号公報
【０００５】
【発明が解決しようとする課題】
ところで、このような空気調和システムでは、サーバコンピュータの冷却に用いられる空気は、空気調和装置から供給されている。また、インターネットなどのコンピュータネットワークに用いられるサーバコンピュータは、常時稼働されているので、サーバコンピュータから熱が常時発せられている。したがって、サーバコンピュータの温度を稼働に適切な温度に保つためには、空気調和装置を常時稼働させる必要がある。このため、従来の空気調和システムでは、空気調和装置が常時稼働するために多大なエネルギーが消費されている。
【０００６】
そこで、本発明では、消費エネルギーを低減することができる空気調和システムおよび空調設定装置を提供することを目的とする。
【０００７】
【課題を解決するための手段】
請求項１に記載の空気調和システムは、電子機器の温度を電子機器の稼働に適する適正温度域に保つための空気調和システムであって、収納部と、空気調和装置と、設定装置と、供給装置とを備えている。収納部は、電子機器を収納する。空気調和装置は、収納部内に調和空気を提供可能である。設定装置は、収納部に隣接する隣接空間と空気調和装置とのいずれかを供給元に設定する。供給装置は、供給元から収納部内に空気を供給する。
【０００８】
この空気調和システムでは、設定装置が、隣接空間と空気調和装置とのいずれかを供給元に設定する。隣接空間が供給元に設定される場合には、供給装置は、隣接空間から収納部内に空気を吸入する。空気調和装置が供給元に設定される場合には、供給装置は、空気調和装置から収納部内に調和空気を供給する。いずれの場合においても、供給元から収納部内に供給される空気は、電子機器の温度を適正温度域に保つ。
【０００９】
ここでは、電子機器の温度を適切温度帯に保つための空気の供給元が、設定装置により隣接空間と空気調和装置とのいずれかに設定される。したがって、供給元が隣接空間に設定された場合には、空気調和装置が収納部内に空気を提供する必要がない。つまり、この場合には、空気調和装置が収納部内に空気を提供しなくても、電子機器の温度を適正温度域に保つことができる。したがって、空気調和装置の消費エネルギーを低減することができる。このため、この空気調和システムでは、システムの消費エネルギーを低減することができる。
【００１０】
請求項２に記載の空気調和システムは、請求項１に記載の空気調和システムであって、設定装置が、所定時間内には、隣接空間を供給元に設定する。また、設定装置は、所定時間外には、空気調和装置を供給元に設定する。
ここでは、所定時間内には、隣接空間が供給元に設定される。また、所定時間外には、空気調和装置が供給元に設定される。したがって、設定装置は、時間帯に応じて供給元を隣接空間と空気調和装置とのいずれかに設定することができる。このため、この空気調和システムでは、システムの有用性が向上する。
【００１１】
請求項３に記載の空気調和システムは、請求項１または２に記載の空気調和システムであって、設定装置は、隣接空間の気温が適正温度域内の場合には、隣接空間を供給元に設定する。また、設定装置は、隣接空間の気温が適正温度域外の場合には、空気調和装置を供給元に設定する。
ここでは、隣接空間の気温が適正温度域内の場合には、隣接空間が供給元に設定される。また、隣接空間の気温が適正温度域外の場合には、空気調和装置が供給元に設定される。したがって、設定装置は、隣接空間の気温に応じて供給元を隣接空間と空気調和装置とのいずれかに設定することができる。このため、この空気調和システムでは、システムの有用性が向上する。
【００１２】
請求項４に記載の空気調和システムは、請求項１に記載の空気調和システムであって、空気調和装置は、収納部が設置される室内の空気を調和する。
ここでは、収納部が設置される室内の空気が、空気調和装置により調和される。したがって、収納部が設置される室内の空気を調和するために、別途、新たな空気調和装置を設ける必要がない。このため、室内の空気調和のための機器の構成を簡素化することができる。
【００１３】
請求項５に記載の空気調和システムは、請求項４に記載の空気調和システムであって、空気調和装置は、消費エネルギーが一定量を超える場合には、室内の空気調和を停止する。また、空気調和装置は、消費エネルギーが一定量以下の場合には、室内の空気調和を行う。設定装置は、空気調和装置の消費エネルギーが一定量を超える場合には、空気調和装置を供給元に設定する。
【００１４】
ここでは、空気調和装置の消費エネルギーが一定量を超える場合には、空気調和装置は室内の空気調和を停止し、設定装置は空気調和装置を供給元に設定する。空気調和装置の消費エネルギーが一定量以下の場合には、空気調和装置は室内の空気調和を行う。したがって、空気調和装置の消費エネルギーが一定量を超える場合には、空気調和装置は室内の空気調和を停止し、収納部内の空調のみを行う。つまり、この空気調和システムでは、電子機器の温度を適正温度域に保ちつつ、消費エネルギーを一定に保つことができる。このため、この空気調和システムでは、消費エネルギーを抑制することができる。
【００１５】
請求項６に記載の空気調和システムは、請求項４または５に記載の空気調和システムであって、空気調和装置は、室内に在室者がある場合には、室内の空気調和を行う。また、空気調和装置は、室内に在室者がない場合には室内の空気調和を停止する。設定装置は、室内に在室者がある場合には隣接空間を供給元に設定する。
【００１６】
ここでは、室内に在室者がある場合には、空気調和装置は室内の空気調和を行う。室内に在室者がない場合には、空気調和装置は室内の空気調和を停止し、設定装置は空気調和装置を供給元に設定する。したがって、室内に在室者がない場合には、空気調和装置は室内の空気調和を停止し、収納部内の空調のみを行う。このため、この空気調和システムでは、電子機器の温度を適正温度域に保ちつつ、消費エネルギーを低減することができる。
【００１７】
請求項７に記載の空気調和システムは、請求項１から６のいずれかに記載の空気調和システムであって、空気調和装置は、電気を蓄積する蓄電装置を備える。
ここでは、空気調和装置は、稼働するための電気を蓄積する蓄電装置を備えている。したがって、この空気調和装置は、電力消費の集中しにくい夜間などに蓄電装置に電気を蓄積し、蓄積した電気を用いて稼働することができる。このため、この空気調和装置では、電力消費を分散することができる。
【００１８】
請求項８に記載の空気調和システムは、請求項７に記載の空気調和システムであって、電子機器は、蓄電装置から電気の供給を受けている。
ここでは、蓄電装置に蓄積された電気が、電子機器に供給される。したがって、例えば停電や電圧低下などの電源障害が起こった場合であっても、蓄電装置に蓄積される電気を元に電子機器が稼働することができる。このため、電子機器が比較的安定的に稼働することができる。
【００１９】
請求項９に記載の空気調和システムは、請求項８に記載の空気調和システムであって、設定装置は、電源障害時に供給元を空気調和装置に設定する。
ここでは、停電などの電源障害時には、設定装置は空気調和装置を供給元に設定する。したがって、電子機器の温度が安定的に適正温度域に保たれる。このため、この空気調和装置では、電子機器がさらに安定的に稼働することができる。
【００２０】
請求項１０に記載の空調設定装置は、電子機器の温度を電子機器の稼働に適する適正温度域に保つための空調設定装置であって、判断部と、設定部とを備えている。電気機器は、収納装置に収納される。収納装置は、隣接空間と隣接している。収納装置内には、隣接空間と空気調和装置とのいずれかを供給元として空気が供給される。判断部は、隣接空間と空気調和装置とのどちらを供給元に設定するかを判断する。設定部は、判断部の判断結果に基づいて供給元を設定する。
【００２１】
この空調設定装置では、判断部において、隣接空間と空気調和装置とのどちらを供給元に設定するかが判断される。そして、設定部において、判断部の判断結果に基づいて供給元を設定される。設定部により設定された供給元から、空気が収納装置内に供給される。
ここでは、設定部により、電子機器の温度を適切温度帯に保つための空気の供給元が、隣接空間と空気調和装置とのいずれかに設定される。したがって、供給元が隣接空間に設定された場合には、空気調和装置が収納部内に空気を提供する必要がない。つまり、この場合には、空気調和装置が収納部内に空気を提供しなくても、電子機器の温度を適正温度域に保つことができる。したがって、空気調和装置の消費エネルギーを低減することができる。このため、この空調設定装置では、電子機器の温度を電子機器の稼働に適する適正温度域に保つための消費エネルギーを低減することができる。
【００２２】
請求項１１に記載の空調設定装置は、請求項１０に記載の空調設定装置であって、判断部が、所定時間内には、隣接空間を供給元に設定する。また、判断部は、所定時間外には、空気調和装置を供給元に設定する。
つまり、ここでは、所定時間内には、隣接空間が供給元に設定される。また、所定時間外には、空気調和装置が供給元に設定される。したがって、この空調設定装置では、時間帯に応じて供給元を隣接空間と空気調和装置とのいずれかに設定することができるため、有用性が向上する。
【００２３】
請求項１２に記載の空調設定装置は、請求項１０または１１に記載の空調設定装置であって、判断部が、隣接空間の気温が適正温度域内の場合には、隣接空間を供給元に設定する。また、判断部は、隣接空間の気温が適正温度域外の場合には、空気調和装置を供給元に設定する。
ここでは、隣接空間の気温が適正温度域内の場合には、隣接空間が供給元に設定される。また、隣接空間の気温が適正温度域外の場合には、空気調和装置が供給元に設定される。したがって、この空調設定装置では、隣接空間の気温に応じて供給元を隣接空間と空気調和装置とのいずれかに設定することができるため、有用性が向上する。
【００２４】
【発明の実施の形態】
＜サーバラック空調システムの構成＞
図１に、本発明の一実施の形態が採用されるサーバラック空調システムの概略構成を示す。このサーバラック空調システムは、サーバコンピュータ１の温度をサーバコンピュータ１の稼働に適する適正温度域（例えば、摂氏５度から摂氏３５度）に保つための空調システムである。このサーバラック空調システムは、主に、空気調和装置１０と、デマンド制御装置５０と、サーバラック２０とから構成されている。
【００２５】
なお、ここでは、部屋２に配置されている一台の空気調和装置１０をシステムの前提としているが、複数の空気調和装置が部屋に配置される場合もあり得る。
（空気調和装置）
空気調和装置１０は、冷暖房や除湿などの調和が行われた調和空気（例えば、冷気や暖気など）をサーバラック２０内に提供可能であると共に、部屋２内の空気の調和を行うことができる空気調和装置である。
【００２６】
この空気調和装置１０は、電動の空気調和装置である。また、空気調和装置１０は、商用電源より供給される電気を主に夜間に蓄積する蓄電装置１４を有している。この蓄電装置１４は、商用電源と電源線を介して接続されている。空気調和装置１０は、蓄電装置１４に蓄積される電気を用いて稼働する。また、この蓄電装置１４は、電源線１５を介してサーバコンピュータ１と接続されており、サーバコンピュータ１に電気を供給している。
【００２７】
また、空気調和装置１０は、デマンド制御装置５０もしくはサーバラック２０からの指令に応じて、稼働状況を変更することができる。
さらに、空気調和装置１０は、エアダクト１６と接続されている。このエアダクト１６は、空気調和装置１０において調和された空気をサーバラック２０に提供するためのダクトである。エアダクト１６は、空気調和装置１０とサーバラック２０とを接続するように構成されている。
【００２８】
さらに、停電や電源電圧低下などの商用電源障害時には、空気調和装置１０は、部屋２内の空間に対する調和空気の供給の停止するとともに、エアダクト１６内に調和空気を提供する。
（デマンド制御装置）
デマンド制御装置５０は、商用電源から空気調和装置１０の蓄電装置１４に供給される電力を所定の電力値以下に抑制するために商用電源と空気調和装置１０との間に設けられている。デマンド制御装置５０は、商用電源から空気調和装置１０の蓄電装置１４に供給される電力をモニタリングする。そして、デマンド制御装置５０は、このモニタリング結果を元にデマンド時限終了後に商用電源から空気調和装置１０の蓄電装置１４に供給される電力が到達する予測需要電力量を算出する。デマンド時限終了時に予測需要電力量が所定の電力量を超える予測が行われた場合には、デマンド制御装置５０は、空気調和装置１０を介してユニット制御部４１に対して予測需要電力量が所定の電力量を超える予測が行われたという情報（以下、デマンド情報という）を送信する。さらに、この場合、デマンド制御装置５０は、空気調和装置１０に対して制御指令を送信する。この制御指令は、部屋２内の空間に対する空気調和装置１０からの調和空気の供給の停止させるとともに、空気調和装置１０にエアダクト１６内に調和空気を提供させる。
【００２９】
（サーバラック）
サーバラック２０は、内部にサーバコンピュータ１を収納する金属製もしくは樹脂製の棚であり、部屋２内に設置されている。このサーバラック２０は、サーバコンピュータ１を上下および側方から覆い、サーバコンピュータ１の周囲に閉空間を形成している。このサーバラック２０は、ファンユニット３０と、空調ユニット４０とを有している。ファンユニット３０と空調ユニット４０とは、空気調和装置１０の蓄電装置１４に電源線１５を介して接続され、蓄電装置１４から電力の供給を受けている。
【００３０】
ファンユニット３０は、サーバラック２０内に空気を取り込むためにサーバラック２０の上部に設けられる。ファンユニット３０は、図示しないファンと、ファンを回転するファンモータとを有している。ファンが回転することにより、空調ユニット４０が設定する空気の供給先からサーバラック２０内に空気が吸い込まれる。さらに、ファンの回転により、サーバラック２０内の空気がサーバラック２０外に放出される。
【００３１】
空調ユニット４０は、ファンユニット３０によりサーバラック２０内に取り込まれる空気の供給元を設定するためにサーバラック２０の下方に設けられるユニットである。この空調ユニット４０は、ユニット制御部４１と、電動ダンパ４５とを有している。
図２に、空調ユニット４０のユニット制御部４１の構成図を示す。
【００３２】
ユニット制御部４１は、電源線および信号線を介して空気調和装置１０と接続されている。また、ユニット制御部４１は、信号線を介して、タイマ４２と、温度センサ４３と、人感センサ４４と、電動ダンパ４５とに接続されている。
タイマ４２は、空調ユニット４０内部に設けられ、現在の時刻をユニット制御部４１に対して送信する。温度センサ４３は、サーバラック２０の外面上に設けられ、部屋２の室温を測定する。また、温度センサ４３は、部屋２の室温の測定結果をユニット制御部４１に対して送信する。人感センサ４４は、部屋２内の在室者から放出される赤外線を感知することにより、部屋２内の在室者の有無を判定する。さらに、人感センサ４４は、在室者の有無を示す在室者信号をユニット制御部４１に対して送信する。ユニット制御部４１は、接続されるこれらの機器から送信される送信内容に応じて、電動ダンパ４５に開閉信号を送信する。さらに、ユニット制御部４１は、接続されるこれらの機器から送信される送信内容に応じて、空気調和装置１０に対して制御指令を送信することができる。この制御指令は、デマンド制御装置５０から空気調和装置１０に対して送信される制御指令と同一の指令である。
【００３３】
電動ダンパ４５は、ユニット制御部４１から送信される開閉信号に応じて、開閉を行う。電動ダンパ４５が「開」の状態では、サーバラック２０内の空間は、サーバラック２０と隣接する部屋２内の空間と接続される。電動ダンパ４５が「閉」の状態では、サーバラック２０内の空間は、エアダクト１６内の空間と接続される。
【００３４】
また、ユニット制御部４１では、例えばサーバコンピュータ１の管理者などにより、「デマンドモード」、「タイマモード」、「温度モード」および「在室者モード」のいずれかが選択される。「デマンドモード」では、ユニット制御部４１が、デマンド制御装置５０からの送信内容のみに応じて電動ダンパ４５の開閉状態を決定する。「タイマモード」では、ユニット制御部４１が、タイマ４２からの送信内容のみに応じて電動ダンパ４５の開閉状態を決定する。「温度モード」では、ユニット制御部４１が、温度センサ４３からの送信内容のみに応じて電動ダンパ４５の開閉状態を決定する。「在室者モード」では、ユニット制御部４１が、人感センサからの送信内容のみに応じて電動ダンパ４５の開閉状態を決定する。ユニット制御部４１において上記の各制御モードが選択された場合については、後に詳述する。
【００３５】
また、停電や電源電圧低下などの商用電源障害時には、電動ダンパ４５は、「閉」の状態となる。つまり、電動ダンパ４５により、サーバラック２０内の空間が、エアダクト１６内の空間と接続される。
＜各制御モード時の空気の供給状況＞
以下に、ユニット制御部４１において上記の各制御モードが選択された場合の信号と各機器の動作とのフローを説明する。
【００３６】
（デマンドモード）
まず、図３に、ユニット制御部４１において、「デマンドモード」が選択された場合の信号と各機器の動作とのフローを示す。
まず、商用電源から空気調和装置１０の蓄電装置１４に供給される電力が、デマンド制御装置５０においてモニタリングされる（ステップＳ１０１）。このモニタリング結果を基づいて、デマンド時限終了後に商用電源から空気調和装置１０の蓄電装置１４に供給される電力が到達すると予測される予測需要電力量が、デマンド制御装置５０において算出される（ステップＳ１０２）。そして、この予測需要電力量が所定の電力量（例えば、電力会社との契約電力量など）を超えるか否かが、デマンド制御装置５０において判定される（ステップＳ１０３）。
【００３７】
予測需要電力量が所定の電力量を超えている場合には、デマンド情報が、デマンド制御装置５０から空気調和装置１０を介してユニット制御部４１に対して送信される（ステップＳ１０４）。デマンド情報を受信したユニット制御部４１は、電動ダンパ４５が「閉」となるよう開閉信号を電動ダンパ４５に対して送信する（ステップＳ１０５）。ユニット制御部４１から送信される開閉信号により、電動ダンパ４５は、「閉」の状態となる。つまり、電動ダンパ４５により、サーバラック２０内の空間が、エアダクト１６内の空間と接続される。さらに、デマンド制御装置５０により、制御指令が空気調和装置１０に対して送信される（ステップＳ１０６）。空気調和装置１０に送信された制御指令により、空気調和装置１０は、部屋２内の空間に対する調和空気の供給の停止するとともに、エアダクト１６内に調和空気を提供する。エアダクト１６内に供給された調和空気は、ファンユニット３０によりサーバラック２０内に吸い込まれる。また、サーバラック２０内の空気は、ファンユニット３０によりサーバラック２０外に放出される。そして、エアダクト１６内からサーバラック２０内に吸い込まれる調和空気により、サーバコンピュータ１の温度の温度が適正温度域に保たれる。
【００３８】
予測需要電力量が所定の電力量を超えていない場合には、ユニット制御部４１は、電動ダンパ４５が「開」となるよう開閉信号を電動ダンパ４５に対して送信する（ステップＳ１０７）。ユニット制御部４１から送信される開閉信号により、電動ダンパ４５は、「開」の状態となる。つまり、電動ダンパ４５により、サーバラック２０内の空間が、部屋２内の空間と接続される。この場合、空気調和装置１０から部屋２内に対して、調和空気が提供されている。そして、部屋２内の空気が、ファンユニット３０によりサーバラック２０内に吸い込まれる。また、サーバラック２０内の空気は、ファンユニット３０によりサーバラック２０外に放出される。そして、部屋２内の空間からサーバラック２０内に吸い込まれる調和空気により、サーバコンピュータ１の温度の温度が適正温度域に保たれる。
【００３９】
（タイマモード）
次に、図４に、ユニット制御部４１において、「タイマモード」が選択された場合の信号と各機器の動作とのフローを示す。
まず、現在の時刻が、タイマ４２からユニット制御部４１に対して送信される（ステップＳ２０１）。タイマ４２から送信される現在の時刻を元に、現在の時刻があらかじめ指定される所定時間（例えば、午前８時から午後８時までの時間帯など）内であるか否かが、ユニット制御部４１において判定される（ステップＳ２０２）。
【００４０】
現在の時刻が所定時間内である場合には、ユニット制御部４１は、電動ダンパ４５が「開」となるよう開閉信号を電動ダンパ４５に対して送信する（ステップＳ２０３）。ユニット制御部４１から送信される開閉信号により、電動ダンパ４５は、「開」の状態となる。つまり、電動ダンパ４５により、サーバラック２０内の空間が、部屋２内の空間と接続される。この場合、空気調和装置１０から部屋２内に対して、調和空気が提供されている。そして、部屋２内の空気が、ファンユニット３０によりサーバラック２０内に吸い込まれる。また、サーバラック２０内の空気は、ファンユニット３０によりサーバラック２０外に放出される。そして、部屋２内の空間からサーバラック２０内に吸い込まれる調和空気により、サーバコンピュータ１の温度の温度が適正温度域に保たれる。
【００４１】
現在の時刻が所定時間外である場合には、ユニット制御部４１は、電動ダンパ４５が「閉」となるよう開閉信号を電動ダンパ４５に対して送信する（ステップＳ２０４）。ユニット制御部４１から送信される開閉信号により、電動ダンパ４５は、「閉」の状態となる。つまり、電動ダンパ４５により、サーバラック２０内の空間が、エアダクト１６内の空間と接続される。さらに、ユニット制御部４１により、制御指令が空気調和装置１０に対して送信される（ステップＳ２０５）。空気調和装置１０に送信された制御指令により、空気調和装置１０は、部屋２内の空間に対する調和空気の供給の停止するとともに、エアダクト１６内に調和空気を提供する。エアダクト１６内に供給された調和空気は、ファンユニット３０によりサーバラック２０内に吸い込まれる。また、サーバラック２０内の空気は、ファンユニット３０によりサーバラック２０外に放出される。そして、エアダクト１６内からサーバラック２０内に吸い込まれる調和空気により、サーバコンピュータ１の温度の温度が適正温度域に保たれる。
【００４２】
（温度モード）
次に、図５に、ユニット制御部４１において、「温度モード」が選択された場合の信号と各機器の動作とのフローを示す。
まず、部屋２内の室温が、温度センサ４３により測定され、ユニット制御部４１に対して送信される（ステップＳ３０１）。温度センサ４３から送信される部屋２内の室温を元に、部屋２内の室温がサーバコンピュータ１の適正温度域内であるか否かが、ユニット制御部４１において判定される（ステップＳ３０２）。
【００４３】
部屋２内の室温がサーバコンピュータ１の適正温度域内である場合には、ユニット制御部４１は、電動ダンパ４５が「開」となるよう開閉信号を電動ダンパ４５に対して送信する（ステップＳ３０３）。ユニット制御部４１から送信される開閉信号により、電動ダンパ４５は、「開」の状態となる。つまり、電動ダンパ４５により、サーバラック２０内の空間が、部屋２内の空間と接続される。この場合、空気調和装置１０から部屋２内に対して、調和空気が提供されている。そして、部屋２内の空気が、ファンユニット３０によりサーバラック２０内に吸い込まれる。また、サーバラック２０内の空気は、ファンユニット３０によりサーバラック２０外に放出される。そして、部屋２内の空間からサーバラック２０内に吸い込まれる調和空気により、サーバコンピュータ１の温度の温度が適正温度域に保たれる。
【００４４】
部屋２内の室温がサーバコンピュータ１の適正温度域外である場合には、ユニット制御部４１は、電動ダンパ４５が「閉」となるよう開閉信号を電動ダンパ４５に対して送信する（ステップＳ３０４）。ユニット制御部４１から送信される開閉信号により、電動ダンパ４５は、「閉」の状態となる。つまり、電動ダンパ４５により、サーバラック２０内の空間が、エアダクト１６内の空間と接続される。さらに、ユニット制御部４１により、制御指令が空気調和装置１０に対して送信される（ステップＳ３０５）。空気調和装置１０に送信された制御指令により、空気調和装置１０は、部屋２内の空間に対する調和空気の供給の停止するとともに、エアダクト１６内に調和空気を提供する。エアダクト１６内に供給された調和空気は、ファンユニット３０によりサーバラック２０内に吸い込まれる。また、サーバラック２０内の空気は、ファンユニット３０によりサーバラック２０外に放出される。そして、エアダクト１６内からサーバラック２０内に吸い込まれる調和空気により、サーバコンピュータ１の温度の温度が適正温度域に保たれる。
【００４５】
（在室者モード）
次に、図６に、ユニット制御部４１において、「在室者モード」が選択された場合の信号と各機器の動作とのフローを示す。
まず、部屋２内の在室者の有無が、人感センサ４４により判定され、ユニット制御部４１に対して判定結果が送信される（ステップＳ４０１）。
【００４６】
部屋２内に在室者がいる場合には、ユニット制御部４１は、電動ダンパ４５が「開」となるよう開閉信号を電動ダンパ４５に対して送信する（ステップＳ４０２）。ユニット制御部４１から送信される開閉信号により、電動ダンパ４５は、「開」の状態となる。つまり、電動ダンパ４５により、サーバラック２０内の空間が、部屋２内の空間と接続される。この場合、空気調和装置１０から部屋２内に対して、調和空気が提供されている。そして、部屋２内の空気が、ファンユニット３０によりサーバラック２０内に吸い込まれる。また、サーバラック２０内の空気は、ファンユニット３０によりサーバラック２０外に放出される。そして、部屋２内の空間からサーバラック２０内に吸い込まれる調和空気により、サーバコンピュータ１の温度の温度が適正温度域に保たれる。
【００４７】
部屋２内に在室者がいない場合には、ユニット制御部４１は、電動ダンパ４５が「閉」となるよう開閉信号を電動ダンパ４５に対して送信する（ステップＳ４０３）。ユニット制御部４１から送信される開閉信号により、電動ダンパ４５は、「閉」の状態となる。つまり、電動ダンパ４５により、サーバラック２０内の空間が、エアダクト１６内の空間と接続される。さらに、ユニット制御部４１により、制御指令が空気調和装置１０に対して送信される（ステップＳ４０４）。空気調和装置１０に送信された制御指令により、空気調和装置１０は、部屋２内の空間に対する調和空気の供給の停止するとともに、エアダクト１６内に調和空気を提供する。エアダクト１６内に供給された調和空気は、ファンユニット３０によりサーバラック２０内に吸い込まれる。また、サーバラック２０内の空気は、ファンユニット３０によりサーバラック２０外に放出される。そして、エアダクト１６内からサーバラック２０内に吸い込まれる調和空気により、サーバコンピュータ１の温度の温度が適正温度域に保たれる。
【００４８】
＜本システムの特徴＞
（１）
このサーバラック空調システムでは、ユニット制御部４１において、部屋２内の空間と空気調和装置１０とのいずれからサーバラック２０内に空気を吸い込むかが判断される。そして、ユニット制御部４１の判断に基づいて、電動ダンパ４５が、サーバラック２０内の空間を部屋２内の空間とエアダクト１６内の空間とのいずれかと接続させる。この結果として、サーバラック２０内には、部屋２内の空間とエアダクト１６内の空間とのいずれかから空気が吸い込まれる。
【００４９】
このため、部屋２内の空間からサーバラック２０内に空気が吸い込まれる場合には、空気調和装置１０がサーバラック２０に対して直接調和空気を提供しなくても、サーバコンピュータ１の温度を適正温度域に保つことができる。この場合には、空気調和装置１０がサーバラック２０に調和空気を提供する必要が無くなるので、空気調和装置１０の消費電力を低減することができる。このため、このサーバラック空調システムでは、システムの消費電力を低減することができる。
【００５０】
（２）
このサーバラック空調システムでは、「タイマモード」が選択される際に、所定時間内においては、電動ダンパ４５により、サーバラック２０内の空間が、空気調和装置１０により調和空気が提供されている部屋２内の空間と接続される。したがって、所定時間内においては、ファンユニット３０により、部屋２内の空間からサーバラック２０内に空気が吸い込まれる。
【００５１】
また、所定時間外においては、電動ダンパ４５により、サーバラック２０内の空間が、空気調和装置１０により調和空気が提供されているエアダクト１６内の空間と接続される。したがって、所定時間外においては、ファンユニット３０により、エアダクト１６内の空間からサーバラック２０内に空気が吸い込まれる。
したがって、空調ユニット４０は、あらかじめ設定される所定時間に応じて、部屋２内の空間とエアダクト１６内の空間とのいずれかからサーバラック２０内に調和空気を提供することができる。
【００５２】
このため、このサーバラック空調システムでは、システムの有用性が向上する。
（３）
このサーバラック空調システムでは、「温度モード」が選択される際に、部屋２内の室温がサーバコンピュータ１の適正温度域内である場合には、電動ダンパ４５により、サーバラック２０内の空間が、部屋２内の空間と接続される。したがって、部屋２内の室温がサーバコンピュータ１の適正温度域内である場合には、ファンユニット３０により、部屋２内の空間からサーバラック２０内に空気が吸い込まれる。
【００５３】
また、部屋２内の室温がサーバコンピュータ１の適正温度域外である場合には、電動ダンパ４５により、サーバラック２０内の空間が、空気調和装置１０により調和空気が提供されているエアダクト１６内の空間と接続される。したがって、所定時間外においては、ファンユニット３０により、エアダクト１６内の空間からサーバラック２０内に空気が吸い込まれる。
【００５４】
したがって、空調ユニット４０は、部屋２内の室温に応じて、部屋２内の空間とエアダクト１６内の空間とのいずれかからサーバラック２０内に調和空気を提供することができる。このため、このサーバラック空調システムでは、システムの有用性が向上する。
（４）
このサーバラック空調システムでは、サーバラック２０が設置される部屋２内の空気が、空気調和装置１０により調和される。つまり、一台の空気調和装置１０により、サーバラック２０内の空間と部屋２内の空間との両方の空気を調和することができる。したがって、部屋２内の空気を調和するために、別途、新たな空気調和装置を設置する必要がない。このため、このサーバラック空調システムでは、空気調和のための機器の構成を簡素化することができる。
【００５５】
（５）
このサーバラック空調システムでは、「デマンドモード」が選択される際に、予測需要電力量が所定の電力量を超えている場合には、電動ダンパ４５により、サーバラック２０内の空間が、空気調和装置１０により調和空気が提供されているエアダクト１６内の空間と接続される。したがって、予測需要電力量が所定の電力量を超えている場合には、ファンユニット３０により、エアダクト１６内の空間からサーバラック２０内に空気が吸い込まれる。
【００５６】
また、予測需要電力量が所定の電力量を超えていない場合には、電動ダンパ４５により、サーバラック２０内の空間が、空気調和装置１０により調和空気が提供されている部屋２内の空間と接続される。したがって、予測需要電力量が所定の電力量を超えていない場合には、ファンユニット３０により、部屋２内の空間からサーバラック２０内に空気が吸い込まれる。
【００５７】
したがって、空調ユニット４０は、空気調和装置１０の予想需要電力量に応じて、部屋２内の空間とエアダクト１６内の空間とのいずれかからサーバラック２０内に調和空気を提供することができる。このため、このサーバラック空調システムでは、システムの有用性が向上する。
（６）
このサーバラック空調システムでは、「在室者モード」が選択される際に、部屋２内に在室者がいない場合には、電動ダンパ４５により、サーバラック２０内の空間が、空気調和装置１０により調和空気が提供されているエアダクト１６内の空間と接続される。したがって、部屋２内に在室者がいない場合には、ファンユニット３０により、エアダクト１６内の空間からサーバラック２０内に空気が吸い込まれる。
【００５８】
また、部屋２内に在室者がいる場合には、電動ダンパ４５により、サーバラック２０内の空間が、空気調和装置１０により調和空気が提供されている部屋２内の空間と接続される。したがって、部屋２内に在室者がいる場合には、ファンユニット３０により、部屋２内の空間からサーバラック２０内に空気が吸い込まれる。
【００５９】
したがって、空調ユニット４０は、部屋２内の在室者の有無に応じて、部屋２内の空間とエアダクト１６内の空間とのいずれかからサーバラック２０内に調和空気を提供することができる。このため、このサーバラック空調システムでは、システムの有用性が向上する。
（７）
このサーバラック空調システムでは、「デマンドモード」選択時において、予測需要電力量が所定の電力量を超えている場合には、空気調和装置１０は、部屋２内の空間に対する調和空気の供給の停止するとともに、エアダクト１６内に調和空気を提供する。予測需要電力量が所定の電力量を超えていない場合には、空気調和装置１０は、部屋２内の空気調和を行う。このため、このサーバラック空調システムでは、空気調和装置１０の消費電力量を一定量以下に保ちつつ、サーバコンピュータ１の温度を適正温度域に保つことができる。
【００６０】
（８）
このサーバラック空調システムでは、「タイマモード」選択時において、現在の時刻が所定時間外である場合にも、空気調和装置１０は、部屋２内の空間に対する調和空気の供給の停止するとともに、エアダクト１６内に調和空気を提供する。また、「温度モード」選択時において、部屋２内の室温がサーバコンピュータ１の適正温度域外である場合にも、同様である。さらに、「在室者モード」選択時において、部屋２内に在室者がいない場合にも、同様である。
【００６１】
上記のように、このサーバラック空調システムでは、部屋２内の空気調和を行わずに優先的にサーバラック２０内の空気調和を行うことができる。このため、このサーバラック空調システムでは、空気調和装置１０の消費電力量を抑制することができる。
（９）
このサーバラック空調システムでは、空気調和装置１０が商用電源より供給される電気を主に夜間に蓄積する蓄電装置１４を有している。したがって、この空気調和装置１０は、電力消費の集中しにくい夜間に蓄電装置１４に電気を蓄積し、蓄積した電気を用いて稼働することができる。このため、このサーバラック空調システムでは、電力消費の時間帯を分散することができる。
【００６２】
（１０）
このサーバラック空調システムでは、空気調和装置１０の蓄電装置１４に主に夜間に蓄積された電気が、常時サーバコンピュータ１と、ファンユニット３０と、空調ユニット４０とに供給される。このため、このサーバラック空調システムでは、停電や電源電圧低下などの電源障害が起こった場合でも、サーバコンピュータ１とファンユニット３０と空調ユニット４０とが比較的安定的に稼働することができる。
【００６３】
（１１）
このサーバラック空調システムでは、商用電源の障害時には、空気調和装置１０は、部屋２内の空間に対する調和空気の供給の停止するとともに、エアダクト１６内に調和空気を提供する。この場合、電動ダンパ４５は、「閉」の状態となる。つまり、電動ダンパ４５により、サーバラック２０内の空間が、エアダクト１６内の空間と接続される。このため、このサーバラック空調システムでは、商用電源の障害時であってもサーバコンピュータ１の温度が適正温度域に保たれるので、サーバコンピュータ１が安定して稼働することができる。
【００６４】
＜他の実施の形態＞
以上、本発明について説明したが、具体的な構成は、上記の実施の形態に限られるものではなく、発明の要旨を逸脱しない範囲で変更可能である。
（Ａ）
上記実施の形態では、各種制御モードが例えばサーバコンピュータ１の管理者などにより選択され、サーバコンピュータ１の温度を適正温度域に保っている。これに代えて、上記各種制御モードを適宜組み合わせて、空気調和装置１０と電動ダンパ４５との複合的な制御を行ってもよい。
【００６５】
（Ｂ）
上記実施の形態では、サーバラック２０内に取り込む空気の供給元が空気調和装置１０により調和空気が提供されるエアダクト１６内と部屋２内の空間とのいずれかに設定されている。ところが、例えば冬季などでは、サーバコンピュータ１の温度を適正温度域に保つために、屋内の空気をサーバラック内に取り込むより屋外の空気をサーバラック内に取り込む方が、サーバコンピュータの温度を適正温度域に保つ効率が高い場合がある。この場合には、上記実施の形態に代えて、エアダクト内と屋外とからのいずれかからサーバラック内に空気を取り込むようにサーバラック空調システムを構成してもよい。
【００６６】
つまり、エアダクト内とサーバラック外とのいずれかからサーバラック内に空気が吸い込まれるようにシステムを構成すればよい。
（Ｃ）
上記実施の形態では、ユニット制御部４１が、空気調和装置１０がサーバラック２０に調和空気を優先的に供給するか否かを判断している。これに代えて、例えばサーバコンピュータの管理者などの指示により、空気調和装置がサーバラックに調和空気を優先的に供給するか否かを決定するように、サーバラック空調システムを構成してもよい。
【００６７】
（Ｄ）
上記実施の形態に加えて、サーバラックから排出される排気を空気調和装置の室外熱交換器近傍に吹き出すようにサーバラック空調システムを構成してもよい。サーバラックから排出される排気は室外熱交換器近傍の空気より温度が高いことが多いので、空気調和装置の暖房時には、室外熱交換器内の冷媒の加熱効率が向上される。このため、このサーバラック空調システムでは、空気調和装置の稼働効率が向上される。
【００６８】
【発明の効果】
以上の説明に述べたように、本発明によれば、以下の効果が得られる。
請求項１に係る発明では、電子機器の温度を適切温度帯に保つための空気の供給元が、設定装置により隣接空間と空気調和装置とのいずれかに設定される。したがって、供給元が隣接空間に設定された場合には、空気調和装置が収納部内に空気を提供する必要がない。つまり、この場合には、空気調和装置が収納部内に空気を提供しなくても、電子機器の温度を適正温度域に保つことができる。したがって、空気調和装置の消費エネルギーを低減することができる。このため、この空気調和システムでは、システムの消費エネルギーを低減することができる。
【００６９】
請求項２に係る発明では、所定時間内には、隣接空間が供給元に設定される。また、所定時間外には、空気調和装置が供給元に設定される。したがって、設定装置は、時間帯に応じて供給元を隣接空間と空気調和装置とのいずれかに設定することができる。このため、この空気調和システムでは、システムの有用性が向上する。
【００７０】
請求項３に係る発明では、隣接空間の気温が適正温度域内の場合には、隣接空間が供給元に設定される。また、隣接空間の気温が適正温度域外の場合には、空気調和装置が供給元に設定される。したがって、設定装置は、隣接空間の気温に応じて供給元を隣接空間と空気調和装置とのいずれかに設定することができる。このため、この空気調和システムでは、システムの有用性が向上する。
【００７１】
請求項４に係る発明では、収納部が設置される室内の空気が、空気調和装置により調和される。したがって、収納部が設置される室内の空気を調和するために、別途、新たな空気調和装置を設ける必要がない。このため、室内の空気調和のための機器の構成を簡素化することができる。
請求項５に係る発明では、空気調和装置の消費エネルギーが一定量を超える場合には、空気調和装置は室内の空気調和を停止し、設定装置は空気調和装置を供給元に設定する。空気調和装置の消費エネルギーが一定量以下の場合には、空気調和装置は室内の空気調和を行う。したがって、空気調和装置の消費エネルギーが一定量を超える場合には、空気調和装置は室内の空気調和を停止し、収納部内の空調のみを行う。つまり、この空気調和システムでは、電子機器の温度を適正温度域に保ちつつ、消費エネルギーを一定に保つことができる。このため、この空気調和システムでは、消費エネルギーを抑制することができる。
【００７２】
請求項６に係る発明では、室内に在室者がある場合には、空気調和装置は室内の空気調和を行う。室内に在室者がない場合には、空気調和装置は室内の空気調和を停止し、設定装置は空気調和装置を供給元に設定する。したがって、室内に在室者がない場合には、空気調和装置は室内の空気調和を停止し、収納部内の空調のみを行う。このため、この空気調和システムでは、電子機器の温度を適正温度域に保ちつつ、消費エネルギーを低減することができる。
【００７３】
請求項７に係る発明では、空気調和装置は、稼働するための電気を蓄積する蓄電装置を備えている。したがって、この空気調和装置は、電力消費の集中しにくい夜間などに蓄電装置に電気を蓄積し、蓄積した電気を用いて稼働することができる。このため、この空気調和装置では、電力消費を分散することができる。
請求項８に係る発明では、蓄電装置に蓄積された電気が、電子機器に供給される。したがって、例えば停電や電圧低下などの電源障害が起こった場合であっても、蓄電装置に蓄積される電気を元に電子機器が稼働することができる。このため、電子機器が比較的安定的に稼働することができる。
【００７４】
請求項９に係る発明では、停電などの電源障害時には、設定装置は空気調和装置を供給元に設定する。したがって、電子機器の温度が安定的に適正温度域に保たれる。このため、この空気調和装置では、電子機器がさらに安定的に稼働することができる。
請求項１０に係る発明では、設定部により、電子機器の温度を適切温度帯に保つための空気の供給元が、隣接空間と空気調和装置とのいずれかに設定される。したがって、供給元が隣接空間に設定された場合には、空気調和装置が収納部内に空気を提供する必要がない。つまり、この場合には、空気調和装置が収納部内に空気を提供なくても、電子機器の温度を適正温度域に保つことができる。したがって、空気調和装置の消費エネルギーを低減することができる。このため、この空気調和システムでは、システムの消費エネルギーを低減することができる。
【００７５】
請求項１１に係る発明では、所定時間内には、隣接空間が供給元に設定される。また、所定時間外には、空気調和装置が供給元に設定される。したがって、この空調設定装置では、時間帯に応じて供給元を隣接空間と空気調和装置とのいずれかに設定することができる。
請求項１２に係る発明では、隣接空間の気温が適正温度域内の場合には、隣接空間が供給元に設定される。また、隣接空間の気温が適正温度域外の場合には、空気調和装置が供給元に設定される。したがって、この空調設定装置では、隣接空間の気温に応じて供給元を隣接空間と空気調和装置とのいずれかに設定することができる。
【図面の簡単な説明】
【図１】本発明の一実施の形態が採用されるサーバラック空調システムの概要図。
【図２】制御部の概略構成図。
【図３】「デマンドモード」選択時の信号と各機器の動作とのフロー図。
【図４】「タイマモード」選択時の信号と各機器の動作とのフロー図。
【図５】「温度モード」選択時の信号と各機器の動作とのフロー図。
【図６】「在室者モード」選択時の信号と各機器の動作とのフロー図。
【符号の説明】
１                  サーバコンピュータ（電子機器）
２                  部屋（室）
１０                空気調和装置
１４                蓄電装置
２０                サーバラック（収納部、収納装置）
３０                ファンユニット（供給装置）
４０                空調ユニット（設定装置）
４１                ユニット制御部（判断部）
４２                電動ダンパ（設定部）
【図１】
2004309007.tif 000003
【図２】
2004309007.tif 000004
【図３】
2004309007.tif 000005
【図４】
2004309007.tif 000006
【図５】
2004309007.tif 000007
【図６】
2004309007.tif 000008